(57)【特許請求の範囲】
【請求項１】
刺激とそれに対する選択ボタンとの組み合わせが基本操作パターンとは異なる操作パターンを用いることにより、前回の運転適性検査時の学習効果を相殺し、次回の運転適性検査までの期間を短縮して実施できるようにしたことを特徴とする運転適性検査方法。
【請求項２】
請求項１記載の運転適性検査方法において、前記運転適性検査が三種の色刺激に対する選択反応検査であることを特徴とする運転適性検査方法。
【請求項３】
請求項１記載運転適性検査方法において、前記運転適性検査が三種の色刺激、三種の形刺激及び三種の音刺激に対する多重選択反応検査であることを特徴とする運転適性検査方法。
【発明の詳細な説明】
【技術分野】
【０００１】
本発明は、運輸分野における運転適性検査方法に係り、特に、期間を隔てて実施する必要がある検査に対し、学習効果相殺機能を付与したことにより、受検間隔の長さに依存する検査の難易度の変動を低減することができる運転適性検査方法に関するものである。
【背景技術】
【０００２】
図４は従来の運転適性検査方法の説明図である。
【０００３】
三色の信号に対応した３つの選択ボタンを速く正確に操作する反応速度検査を例に説明する。図４において、４０１は表示部、１，２，３は選択ボタンを示す。この運転適性検査では、赤色表示の点灯に対して選択ボタン１を、黄色表示の点灯に対して選択ボタン２を、緑色表示の点灯に対して選択ボタン３を操作することを正解とし、この組み合わせを操作パターンとする色刺激への選択反応を検査をする。このような検査を、次回の検査でも実施するようにしていた。
【０００４】
また、上記した色刺激にさらに形刺激と音刺激を加えて、多様な刺激を組み合わせた時の受検者の反応を検査するようにした反応検査装置も提案されている（下記特許文献１参照）。
【先行技術文献】
【特許文献】
【０００５】
【特許文献１】特開２００６−２０４３５７号公報
【発明の概要】
【発明が解決しようとする課題】
【０００６】
しかしながら、上記した運転適性検査方法では、第１回目から第２回目までの運転適性検査の受検間隔が短いと、第１回目の検査での学習効果によって、第２回目の検査結果に影響が生じてしまう。そこで、正確な検査を行うため、受検間隔を十分にあける必要があるといった問題があった。
【０００７】
本発明は、上記状況に鑑みて、適性検査における刺激とそれに対する反応の関係を変更して検査の難易度を調整することにより、次回の運転適性検査を任意の時期に実施することができる運転適性検査方法を提供することを目的とする。
【課題を解決するための手段】
【０００８】
本発明は、上記目的を達成するために、
〔１〕運転適性検査方法において、刺激とそれに対する選択ボタンとの組み合わせが基本操作パターンとは異なる操作パターンを用いることにより、前回の運転適性検査時の学習効果を相殺し、次回の運転適性検査までの期間を短縮して実施できるようにしたことを特徴とする。
【０００９】
〔２〕上記〔１〕記載の運転適性検査方法において、前記運転適性検査が三種の色刺激に対する選択反応検査であることを特徴とする。
【００１０】
〔３〕上記〔１〕記載の運転適性検査方法において、前記運転適性検査が三種の色刺激、三種の形刺激及び三種の音刺激に対する多重選択反応検査であることを特徴とする。
【発明の効果】
【００１１】
本発明によれば、検査のための刺激と反応との関係を変更することにより、検査を繰り返し実施する必要のある場合でも、運転適性検査を任意の時期に実施することができる。
【図面の簡単な説明】
【００１２】
【図１】本発明の実施例を示す運転適性検査方法の説明図である。
【図２】本発明の実施例を示す運転適性検査方法のフローチャートである。
【図３】本発明の他の実施例を示す多重選択反応を行わせる運転適性検査方法の説明図である。
【図４】従来の運転適性検査方法の説明図である。
【発明を実施するための形態】
【００１３】
本発明の運転適性検査方法は、刺激とそれに対する選択ボタンとの組み合わせが基本操作パターンとは異なる操作パターンを用いることにより、前回の運転適性検査時の学習効果を相殺し、次回の運転適性検査までの期間を短縮して実施できるようにした。
【実施例】
【００１４】
以下、本発明の実施の形態について詳細に説明する。
【００１５】
図１は本発明の実施例を示す運転適性検査方法の説明図、図２はその運転適性検査方法のフローチャートである。
【００１６】
三色の色刺激である赤色表示１０１，黄色表示１０２，緑色表示１０３に対応した３つの選択ボタン１〜３を早く正確に操作する検査を例に説明する。三色の色刺激である赤色表示１０１，黄色表示１０２，緑色表示１０３と３つの選択ボタン１〜３との組み合わせは全部で６通りあるが、図１に２０１として示した組み合わせを第１回目の検査時に課す基本操作パターン２０１とする。また、従来は、この基本操作パターンを１年以上受検間隔を空けて実施しているものとして説明する。
【００１７】
本発明では、刺激とその選択ボタンの組み合わせを変えた操作パターンを受検間隔に応じて選択することにより、受検間隔によって変わる学習効果の検査への影響度に応じて検査の難易度を調整することができる。
【００１８】
第２回目の受検までの間隔が短い場合、例えば半年未満の場合には、第２回目の検査において、第１回目の検査で用いた基本操作パターン２０１の学習効果が受検間隔を長く取った場合よりも強く反映されると考えられる。このため、基本操作パターン２０１の学習効果の影響が最も少ない、刺激と操作ボタンの組み合わせが基本操作パターン２０１とは全て異なる操作パターン２０５又は２０６を用いて第２回目の運転適性検査を実施する。すなわち、Ｄ操作パターン２０５では、赤色表示１０１の点灯に対して選択ボタン２、黄色表示１０２の点灯に対して選択ボタン３、緑色表示１０３の点灯に対して選択ボタン１をそれぞれ操作することを正解とし、また、Ｅ操作パターン２０６では、赤色表示１０１の点灯に対して選択ボタン３、黄色表示１０２の点灯に対して選択ボタン１、緑色表示１０３の点灯に対して選択ボタン２をそれぞれ操作することを正解とする。
【００１９】
このように、基本操作パターン２０１とは色表示と選択ボタンの組み合わせが全て異なるＤ操作パターン２０５又はＥ操作パターン２０６を第２回目の検査で選択することにより、検査の難易度を高めて基本操作パターン２０１の学習効果が適性検査の結果に影響しないようにすることができる。
【００２０】
また、第２回目の受検までの間隔が例えば半年以上１年未満の場合には、基本操作パターン２０１の色表示と選択ボタンの３つの組み合わせのうち２つを入れ替え１つは同じとする、難易度が中程度となるＡ操作パターン２０２，Ｂ操作パターン２０３，Ｃ操作パターン２０４から選択する。Ａ操作パターン２０２では、赤色表示１０１の点灯に対して選択ボタン３、黄色表示１０２の点灯に対して選択ボタン２、緑色表示１０３に対して選択ボタン１を操作することを正解とし、Ｂ操作パターン２０３では、赤色表示１０１の点灯に対して選択ボタン２、黄色表示１０２の点灯に対して選択ボタン１、緑色表示１０３の点灯に対して選択ボタン３を操作することを正解とし、Ｃ操作パターン２０４では、赤色表示１０１の点灯に対して選択ボタン１、黄色表示１０２の点灯に対して選択ボタン３、緑色表示１０３の点灯に対して選択ボタン２を操作することを正解として設定している。
【００２１】
なお、基本操作パターン２０１を再度選択するのは、再受検７回目以降とする。
【００２２】
このように、第２回目の適性検査において、刺激とそれに対応する選択ボタンの組み合わせを変えた操作パターンを受検間隔に応じて選択する。これにより、適性検査の難易度を調整することができるので、学習効果の程度に応じて最適な検査を実施することができる。したがって、従来のように学習効果低減のために受検の間隔を長くとる必要がないので、任意のタイミングで適性検査を実施することができる。なお、操作パターンの難易度評価と受検間隔の対応関係は、間隔別学習効果データに基づいて算出する。
【００２３】
本発明の運転適性検査方法のフローチャートを図２を参照して説明する。
【００２４】
（１）運転適性検査を行うにあたり、まず、第１回目の検査であるか否かをチェックする（ステップＳ１）。
【００２５】
（２）第１回目の検査である場合には適性検査を実施する（ステップＳ２）。
【００２６】
（３）第１回目の検査日、実施した操作パターン及び検査結果を記録する（ステップＳ３）。
【００２７】
（４）上記ステップＳ１において第１回目の検査でない場合は、蓄積された検査データに基づいて前回の検査日を確認する（ステップＳ４）。
【００２８】
（５）前回の検査日と今回の検査日の間隔を算出する（ステップＳ５）。
【００２９】
（６）ステップＳ５で確認した前回の検査日と今回の検査日の間隔に応じて、刺激と選択ボタンの組み合わせを変更した操作パターンの中から、最適な難易度である操作パターンを選択する（ステップＳ６）。
【００３０】
（７）ステップＳ６において選択した操作パターンを用いて適性検査を実施する（ステップＳ７）。
【００３１】
（８）今回の検査日、実施した操作パターン及び検査結果を記録する（ステップＳ８）。
【００３２】
図３は本発明の他の実施例を示す多重選択反応を行わせる運転適性検査方法の説明図である。
【００３３】
図１では色刺激のみの選択反応を行う例を示したが、この実施例では、図３に示すように、形刺激や音刺激を付加した多重選択反応を行う検査である。
【００３４】
図３においては、選択ボタン１，２，３に加えて、選択ボタンｇ，ｈ，ｉ，α，β，γが配置されている。
【００３５】
例えば、基本操作パターン３０１として、形刺激○に対して選択ボタンｇ，△に対して選択ボタンｈ，×に対して選択ボタンｉ，色刺激赤に対して選択ボタン１，黄に対して選択ボタン２，緑に対して選択ボタン３、断続音の音刺激に対して選択ボタンα，高音に対して選択ボタンβ，低音に対して選択ボタンγを正解とする第１回目の検査を行った場合、第２回目の検査では、Ｆ操作パターン３０２として、○に対して選択ボタンｉ，△に対して選択ボタンｇ，×に対して選択ボタンｈ，赤に対して選択ボタン３，黄に対して選択ボタン１，緑に対して選択ボタン２，断続音に対して選択ボタンγ，高音に対して選択ボタンα，低音に対して選択ボタンβを正解とし、各刺激に対する選択ボタンの組み合わせが前回の基本パターン３０１と同じにならないようにしている。
【００３６】
このように、各刺激に対する選択ボタンの組み合わせが基本操作パターン３０１とは異なるＦ操作パターン３０２を第２回目の検査で採用することにより、多重選択反応を行わせる前回の運転適性検査時の学習効果を相殺することできる。したがって、運転適性検査の受検間隔を短くすることができる。
【００３７】
なお、多重選択反応の刺激は、色刺激、形刺激や音刺激に限定するものではない。
【００３８】
なお、本発明は上記実施例に限定されるものではなく、本発明の趣旨に基づき種々の変形が可能であり、これらを本発明の範囲から排除するものではない。
【産業上の利用可能性】
【００３９】
本発明の運転適性検査方法は、刺激とそれに対する反応の関係を変更して検査の難易度を調整することにより、次回の運転適性検査を任意の時期に実施することができる運転適性検査方法として利用可能である。
【符号の説明】
【００４０】
１，２，３，ｇ，ｈ，ｉ，α，β，γ    選択ボタン
１０１    赤色表示
１０２    黄色表示
１０３    緑色表示
２０１，３０１    基本操作パターン
２０２    Ａ操作パターン
２０３    Ｂ操作パターン
２０４    Ｃ操作パターン
２０５    Ｄ操作パターン
２０６    Ｅ操作パターン
３０２    Ｆ操作パターン
【図１】
0005501673.tif 000002
【図２】
0005501673.tif 000003
【図３】
0005501673.tif 000004
【図４】
0005501673.tif 000005